(57)【特許請求の範囲】
【請求項１】
ベッド本体と、
このベッド本体の長手方向の少なくとも一端部にほぼ垂直に設けられるボード体と、
このボード体の幅方向の両端部の高さ方向下端側或いは上端側の一方に幅方向外方に突出して形成された第１の突出部及び他方に幅方向内方に凹んで形成された第１の凹部と、
上記ベッド本体の側部に長手方向に沿って設けられる側柵と、
この側柵の上記ボード体側に位置する端部の高さ方向下端側或いは上端側の上記第１の突出部と同じ側となる一方に長手方向内方に凹んで形成された上記第１の突出部に係合する第２の凹部及び他方に長手方向外方に突出して形成された上記第１の凹部に係合する第２の突出部を具備し、
上記第１の突出部には、上記第２の凹部を形成した上記側柵の端部が係合する第１の受け溝が上下方向に沿って形成され、
上記第２の突出部には、上記第１の凹部を形成した上記ボード体の端部が係合する第２の受け溝が上下方向に沿って形成されていることを特徴とするベッド装置。
【請求項２】
上記側柵の第２の突出部にはその両側面に上記第２の受け溝が形成されていることを特徴とする請求項１記載のベッド装置。
【請求項３】
上記ボード体の第１の突出部にはその両側面に上記第１の受け溝が形成されていることを特徴とする請求項１記載のベッド装置。
【発明の詳細な説明】
【技術分野】
【０００１】
この発明はベッド本体の側部に側柵が設けられるベッド装置に関する。
【背景技術】
【０００２】
たとえば、介護用などのベッド装置においては、仰臥した利用者や利用者に掛けられた寝具などが落下するのを防止するため、ベッド装置の側部に側柵を設けることができるようにしている。
【０００３】
通常、上記側柵は、上記ベッド装置のベッド本体を構成する、上面にマットレスが載置される載置フレームの側部材に取り付け孔を形成し、その取付け孔に上記側柵の下端部に設けられた脚部材を着脱可能に差し込んで取り付けられている。そして、上記側柵が不要な場合には載置フレームから取り外すことができるようにしている。このような先行技術は特許文献１に示されている。
【０００４】
特許文献１に示されるように、上記側柵の幅寸法は載置フレームの長さ寸法よりも短く形成され、必要に応じて複数の側柵を載置フレームの側部に取り付けるようにしている。このようにして載置フレームに側柵を取り付けると、側柵の長手方向の端部と、上記載置フレームの長手方向の一端或いは両端に立設されたヘッドボードやフットボードなどのボード体の、上記載置フレームの長手方向の内方を向いた内面との間に隙間が生じることがある。
【０００５】
一方、載置フレームの側部に複数の側柵を取り付けると、隣り合う側柵の端部間に隙間が生じるということがある。特許文献１では隣り合う側柵の端部を重ね合わせてその端部間に隙間が生じないようにしている。
【特許文献１】特開２００５−２８７６５３号公報
【発明の開示】
【発明が解決しようとする課題】
【０００６】
側柵を載置フレームに取り付けたとき、ボード体の内面と側柵の端部との間に隙間が生じると、その隙間に物を挟んだり、利用者が手足などの身体の一部を挟む虞がある。そのため、ボード体の内面と側柵の端部との間に隙間が生じないようにすることが望まれている。しかしながら、従来はボード体の内面と側柵の端部との間に生じた隙間を閉塞するということが行われていなかった。
【０００７】
また、載置フレームの側部に複数の側柵を取り付けた場合、特許文献１では隣り合う側柵の端部間に隙間が生じるのを防止するため、隣り合う側柵の端部を重ね合わせるようにしている。
【０００８】
しかしながら、側柵の端部を重ね合わせてその端部間の隙間を閉塞すると、たとえば利用者が側柵に手を掛け、側柵がベッド本体の幅方向に対してがた付いたとき、側柵の重なり合った端部間の隙間が大きくなることがあるから、その隙間に利用者が手指を挟むという虞がある。
【０００９】
この発明は、ベッド本体に側柵を設けることによって生じる隙間を簡単な構成で確実に塞ぐことができるようにしたベッド装置を提供することにある。
【課題を解決するための手段】
【００１０】
この発明は、ベッド本体と、
このベッド本体の長手方向の少なくとも一端部にほぼ垂直に設けられるボード体と、
このボード体の幅方向の両端部の高さ方向下端側或いは上端側の一方に幅方向外方に突出して形成された第１の突出部及び他方に幅方向内方に凹んで形成された第１の凹部と、
上記ベッド本体の側部に長手方向に沿って設けられる側柵と、
この側柵の上記ボード体側に位置する端部の高さ方向下端側或いは上端側の上記第１の突出部と同じ側となる一方に長手方向内方に凹んで形成された上記第１の突出部に係合する第２の凹部及び他方に長手方向外方に突出して形成された上記第１の凹部に係合する第２の突出部を具備し、
上記第１の突出部には、上記第２の凹部を形成した上記側柵の端部が係合する第１の受け溝が上下方向に沿って形成され、
上記第２の突出部には、上記第１の凹部を形成した上記ボード体の端部が係合する第２の受け溝が上下方向に沿って形成されていることを特徴とするベッド装置にある。
【発明の効果】
【００１１】
この発明によれば、ボード体の幅方向の端部の高さ方向の下端側と上端側の一方に第１の突出部、他方に第１の凹部を形成し、側柵の端部の上下方向に上記第１の突出部に係合する第２の凹部と、上記第１の凹部に係合する第２の突出部を形成したから、各凹部と突出部との係合によってボード体と側柵の端部に隙間が形成されるのを防止することができる。
【発明を実施するための最良の形態】
【００１２】
以下、この発明の実施の形態を図面を参照しながら説明する。
【００１３】
図１乃至図４はこの発明の第１の実施の形態を示し、図１は病院などで用いられるベッド装置の側面図であって、このベッド装置はベースフレーム１を有する。このベースフレーム１は矩形枠状に形成されていて、その四隅部にはストッパ付のキャスタ２（２つのみ図示）が設けられている。それによって、ベースフレーム１は移動可能となっている。
【００１４】
上記ベースフレーム１には上下駆動機構４によってベッド本体としての載置フレーム５が上下動可能、つまり高さ調整可能に設けられている。上記上下駆動機構４は駆動源６を有する。
【００１５】
上記ベースフレーム１の四隅部には支柱７が立設され、各支柱７の上端には連動アーム８（４つのうちの２つを図示）の一端が枢着されている。各連動アーム８の他端は上記載置フレーム５の長手方向両端部の両側に垂設されたブラケット９にそれぞれ枢着されている。載置フレーム５の長手方向の両端部に設けられた左右一対の連動アーム８は図示しない連結杆によって連結されている。
【００１６】
上記駆動源６は上記連動アーム８を図示しない動力伝達機構を介して揺動駆動する。それによって、上記載置フレーム５が上下方向に駆動されるようになっている。この載置フレーム５の長手方向一端にはボード体としてのヘッドボード１１、他端には同じくボード体としてのフットボード１２がほぼ垂直に設けられている。
【００１７】
上記ヘッドボード１１とフットボード１２は、図２と図３に示すように矩形板状の本体部１３を有し、この本体部１３の幅方向両端には端部材１４が上下方向に沿って取付け固定されている。この端部材１４には上下方向全長にわたって断面形状が半円形状の受け溝１５が形成されている。
【００１８】
上記端部材１４の下端には取付け脚１６が設けられている。そして、ヘッドボード１１とフットボード１２は、図１に示すように端部材１４に形成された受け溝１５を載置フレーム５の長手方向内方に向け、各取付け脚１６を上記載置フレーム５の四隅部に設けられた取付け部材１７に形成された図示しない取付け孔に挿入して上記載置フレーム５に着脱可能に取付けられる。
【００１９】
上記載置フレーム５の上面には床板体２１が設けられている。この床板体２１は背床部２１ａ，腰床部２１ｂ，固定床部２３ｃ、第１の脚床部２１ｄ及び第２の脚床部２１ｅの５つの床部に分割されている。
【００２０】
５つの床部２１ａ〜２１ｅは互いに回動可能に連結されていて、上記固定床部２１ｃは上記載置フレーム５に固定されている。この載置フレーム５の下面側には起伏駆動機構２２が設けられている。この起伏駆動機構２２は上記背床部２１ａ，腰床部２１ｂ、第１の脚床部２１ｄ及び第２の脚床部２１ｅを起伏駆動するようになっている。
【００２１】
上記載置フレーム５は矩形枠状に形成されていて、幅方向両側の外面（一側面の図示）には長手方向に所定間隔で筒状の複数の支持部材２３が設けられている。この実施の形態では５つの支持部材２３が等間隔で設けられている。
【００２２】
上記載置フレーム５の幅方向の一側には一対の側柵２５が着脱可能に取付けられている。上記側柵２５はパイプ材を矩形枠状に形成した枠体２６を有し、この枠内の上部には幅方向に沿って横杆２７が架設され、この横杆２７と枠体２６の下辺とには複数の縦杆２８及び一対の脚部材２９所定間隔で架設されている。
【００２３】
一対の脚部材２９は下端部を側柵２５の下端から下方に突出させている。そして、一対の側柵２５は、それぞれの一対の脚部材２９の下端部を上記載置フレーム５の側部に設けられた支持部材２３に挿入することで、上記載置フレーム５に着脱可能に取付けられている。
【００２４】
このようにして側柵２５を載置フレーム５に取付けると、ヘッドボード１１側に位置する一方の側柵２５の一端部の上下方向全長が上記ヘッドボード１１の端部材１４に形成された受け溝１５に嵌合し、フットボード１２側に位置する他方の側柵２５の一端部の上下方向全長が上記フットボード１２の端部材１４に形成された受け溝１５に嵌合する。各ボード１１，１２の端部が受け溝１５に係合した状態を図３に鎖線で示す。
【００２５】
それによって、載置フレーム５に側柵２５を取付けたとき、その側柵２５の端部とヘッドボード１１及びフットボード１２の内面との間に隙間が生じないようになっている。
【００２６】
上記載置フレーム５の側部に設けられた一対の側柵２５の他端部間に生じる隙間は図１に鎖線で示す第１の閉塞部材３１によって閉塞されるようになっている。この第１の閉塞部材３１は、図４に示すように比較的硬質な発泡樹脂などの弾性変形可能な材料によって形成された上記側柵２５の高さ寸法よりもわずかに短い板状部材からなり、その幅方向一端部と他端部にはそれぞれ一対の挟持片３２によって断面形状が円弧状となる第１の取付け部３３と第２の取付け部３４とが形成されている。
【００２７】
第１の取付け部３３はヘッドボード１１側に位置する側柵２５の他端部に着脱可能に嵌着され、第２の取付け部３４はフットボード１２側に位置する側柵２５の他端部に着脱可能に嵌着される。それによって、一対の側柵２５の他端部間に生じる隙間は上記第１の閉塞部材３１によって閉塞される。
【００２８】
このような構成のベッド装置によれば、載置フレーム５の側部に一対の側柵２５を取付けると、一方の側柵２５の一端部はヘッドボード１１の端部材１４に形成された受け溝１５に嵌合し、他方の側柵２５の一端部はフットボード１２の端部材１４に形成された受け溝１５に嵌合する。
【００２９】
それによって、一対の側柵２５の一端部とヘッドボード１１及びフットボード１２の内面との間に隙間が生じるのが防止されるから、利用者が側柵２５の一端部と各ボード１１、１２の内面との間に身体の一部を挟んだり、物を挟むなどのことをなくすことができる。
【００３０】
上記載置フレーム５の側部に一対の側柵２５を設けたとき、これら側柵２５の他端部間に第１の閉塞部材３１を設けることで、その他端部間に生じる隙間を閉塞することができる。それによって、利用者は一対の側柵２５の他端部間に生じる隙間にも、身体の一部を挟んだり、物を挟むなどのことをなくすことができる。
【００３１】
なお、第１の実施の形態において、ヘッドボード１１及びフットボード１２の幅方向両端部に各ボードの内面に開放する受け溝１５を形成したが、内面に開放する受け溝１５だけでなく、外面に開放する受け溝１５を形成してもよい。
【００３２】
そのようにすれば、載置フレーム５の一端に設けられるヘッドボード１１と他端に設けられるフットボード１２がたとえば同じ形状であるような場合、ヘッドボード１１とフットボード１２を互いに兼用することができる。
【００３３】
図５はこの発明の第２の実施の形態を示す。この実施の形態は側柵２５の一端と、ヘッドボード１１Ａ或いはフットボード１２Ａの内面との間に生じる隙間が第２の閉塞部材３７によって閉塞される。
【００３４】
上記第２の閉塞部材３７は、弾性変形可能な材料によって上記側柵２５及び各ボード１１Ａ，１２Ａの高さ寸法とほぼ同じ高さ寸法に形成された板状部材からなり、その幅方向の一端には上記側柵２５の一端に嵌合する第１の取付け部３８が一対の挟持片３８ａによって形成され、他端には各ボード１１Ａ，１２Ａの幅方向の端部に嵌合する第２の取付け部３９が一対の挟持片３９ａによって形成されている。
【００３５】
上記第１の取付け部３８と第２の取付け部３９は開放端の向きを水平方向に９０度ずらして形成されている。つまり、直交して形成されている。それによって、第２の閉塞部材３７は第１の取付け部３８を側柵２５の端部に嵌合させ、第２の取付け部３９をボード１１Ａ，１２Ａの端部に嵌合させることができる。
【００３６】
なお、この第２の実施の形態におけるボード１１Ａ，１２Ａの幅方向の両端部には、第１の実施の形態に示された端部材１４が設けられず、幅方向の両端部が円弧面に形成されている。それによって、その端部に第２の閉塞部材３７の第２の取付け部３９を嵌合させることができるようになっている。
【００３７】
各ボード１１Ａ，１２Ａの幅方向の両端部を円弧面にするには、板状部材の端部を加工したり、ボード１１Ａ，１２Ａをパイプ材で形成することで実現できる。
【００３８】
図６乃至図１１はこの発明の第３の実施の形態を示す。なお、第１の実施の形態と同一部分には同一記号を付して説明を省略する。すなわち、第３の実施の形態は載置フレーム５の一端部と他端部に設けられるボード体としてのヘッドボード１１Ｂ及びフットボード１２Ｂのうち、ヘッドボード１１Ｂの内面と側柵２５Ａの一端部との間に隙間が生じないようにしたものである。
【００３９】
上記ヘッドボード１１Ｂは図７（ａ）〜（ｃ）に示すように矩形状の板材からなる本体部１３よって形成されていて、その本体部１３の幅方向の両端部の高さ方向の上端側には幅寸法を他の部分よりも小さくした第１の凹部４１が形成され、下端側には第１の凹部４１よりも幅寸法が大きい第１の突出部４２が形成されている。
【００４０】
上記第１の突出部４２の内面には上下方向に沿って第１の受け溝４３が上記第１の突出部４２の上端に開放して形成されている。なお、第１の受け溝４３は上記第１の突出部４２の上下両端に開放して形成してもよい。
【００４１】
一方、ベッド装置の載置フレーム５には上記ヘッドボード１１Ｂ側に１枚の上記側柵２５Ａが設けられている。この側柵２５Ａは図８〜図１１に示すように矩形状の２枚の板材４５を接着剤によって貼り合わせ、かつ図８（ｂ）に示すように複数の連結ピン４４で連結して形成されている。
【００４２】
なお、図８（ａ）では連結ピン４４を実線で示しているが、連結ピン４４は図８（ｂ）に示すように一対の板材４５間に設けられるから、両端が板材４５の外面に露出しないようになっている。
【００４３】
上記側柵２５Ａの上部には幅方向に沿って手掛け孔４６が開口形成され、この手掛け孔４６の下方には複数の視認孔４７が開口形成されている。２枚の板材４５を貼り合わせて側柵２５Ａを形成するとき、一方の板材４５の内面には図８（ａ）に破線で示すように複数の視認孔４７の周辺部を囲む大きさであって、側柵２５Ａの幅方向一端に開放する挿入溝４８が形成されている。
【００４４】
上記挿入溝４８にはアクリル樹脂などの透明パネル４９が挿入されている。この透明パネル４９は上記側柵２５Ａの視認孔４７を隔別した部分及び上記挿入溝４８の開放端側の端部に対応する部分に厚さ方向に貫通して設けられた複数の抜け止めねじ５１によって抜出不能に固定されている。側柵２５Ａの抜け止めねじ５１が設けられた部分を図８（ｃ）に拡大して示す。
【００４５】
上記挿入溝４８に透明パネル４９を設けることで、上記視認孔４７は視認性を損なうことなく閉塞される。それによって、ベッド装置の床板体２１上に図示しないマットレスを介して仰臥した利用者の状態を外部から側柵２５Ａの視認孔４７を介して確認することができ、しかも利用者が手足などを視認孔４７に差し込むのを防止することができるようになっている。
【００４６】
上記側柵２５Ａの２枚の板材４５を接着剤によって貼り合せるとき、その接着剤が一方の板材４５に形成された挿入溝４８に流れ込んで凝固する虞があるから、２枚の板材４５を貼り合せた後、上記挿入溝４８に透明パネル４９を差し込むことができなくなる虞がある。
【００４７】
そこで、２枚の板材４５を接着剤によって貼り合せるとき、ダミーのパネルを予め挿入溝４８に挿入しておく。それによって、２枚の板材４５を貼り合わせたときに接着剤が挿入溝４８に流れ込むのを防止できるから、２枚の板材４５を貼り合わせた後、ダミーのパネルを抜けば、その挿入溝４８に透明パネル４９を確実に挿入することができる。
【００４８】
なお、側柵２５Ａは２枚の板材４５を貼り合わせた後、研磨や塗装などの加工が施されるから、それらの加工後に新しい透明パネル４９を挿入溝４８に挿入するようにすることが望ましい。
【００４９】
図８（ａ）に示すように、上記側柵２５Ａの下端面には一対の脚部材２９ａが突出している。一対の脚部材２９ａはパイプ材からなる連結杆５２の両端部に一端を連結して設けられている。この連結杆５２と一対の脚部材２９ａの一端部は、一対の板材４５を貼り合せるとき、これら板材４５の内面にそれぞれ形成された凹溝５３に予め保持される。
【００５０】
そして、このようにして形成された上記側柵２５Ａは、その脚部材２９ａを載置フレーム５の側面に設けられた一対の支持部材２３に挿入してヘッドボード１１Ｂ側に取付けられている。
【００５１】
図８（ａ）に示すように、上記側柵２５Ａのヘッドボード１１Ｂ側の端部の上下方向の下端側には他の部分よりも凹んだ第２の凹部５４が形成され、この第２の凹部５４の上部には前方に突出した第２の突出部５５が形成されている。図９（ａ），（ｂ）に示すように、この第２の突出部５５の両側面には上下方向全長にわたって断面形状が円弧状の第２の受け溝５６が形成されている。
【００５２】
上記側柵２５Ａの一対の脚部材２９ａを、ヘッドボード１１Ｂ側に位置する一対の支持部材２３に差し込むと、その第２の凹部５４が上記ヘッドボード１１Ｂの第１の突出部４２に係合し、第２の突出部５５が上記ヘッドボード１１Ｂの第１の凹部４１に係合する。
【００５３】
それによって、ヘッドボード１１Ｂの幅方向の一端部と、側柵２５Ａの先端部の間に隙間が生じるのが防止される。
【００５４】
しかも、ヘッドボード１１Ｂの第１の凹部４１の先端部は側柵２５Ａの第２の突出部５５の内面側に形成された第２の受け溝５６に入り込み、側柵２５Ａの第２の凹部５４の先端部はヘッドボード１１Ｂの第１の突出部４２に形成された第１の受け溝４３に入り込む。
【００５５】
それによって、ヘッドボード１１Ｂの幅方向の一端部と、側柵２５Ａの先端部の間にさらに隙間が生じ難くなるばかりか、これらの係合状態が確実になる。
【００５６】
すなわち、上記構成のヘッドボード１１Ｂ及び側柵２５Ａによれば、ヘッドボード１１Ｂの幅方向の端部と側柵２５Ａの端部との間の隙間をなくすることができるから、利用者が手足などの身体をヘッドボード１１Ｂと側柵２５Ａとの間に挟むのを防止することができる。
【００５７】
上記側柵２５Ａの第２の突出部５５にはその両側面に第２の受け溝５６を形成した。そのため、側柵２５Ａを載置フレーム５の幅方向一端側或いは他端側のいずれに取付ける場合であっても、その第２の受け溝５６にヘッドボード１１Ｂの第１の凹部４１の先端部を入り込ませることができる。つまり、側柵２５Ａの使い勝手を向上させることができる。
【００５８】
上記第３の実施の形態においては１枚の側柵２５Ａを載置フレーム５のヘッドボード１１Ｂ側に設ける場合について説明したが、側柵２５Ａをヘッドボード１１Ｂ側とフットボード１２Ｂ側の両方或いはフットボード１２Ｂ側だけに設ける場合には、フットボード１２Ｂを上述したヘッドボード１１Ｂと同じ構成、つまり幅方向の両端部に第１の凹部４１と第１の突出部４２を有する形状とすればよい。  
また、載置フレーム５の一側だけでなく、両側にそれぞれ側柵２５Ａを設けるようにしてもよい。
【図面の簡単な説明】
【００５９】
【図１】この発明の第１の実施の形態を示すベッド装置の側面図。
【図２】ヘッドボード及びフットボードの斜視図。
【図３】同じく平面図。
【図４】隣り合う一対の側柵の端部間に設けられる第１の閉塞部材を示す平面図。
【図５】この発明の第２の実施の形態の側柵の端部とヘッドボード及びフットボードの端部の間に設けられる第２の閉塞部材を示す平面図。
【図６】この発明の第３の実施の形態を示すベッド装置の側面図。
【図７】図７（ａ）〜（ｃ）上記ベッド装置に用いられるヘッドボードの三面図。
【図８】（ａ）は側柵の側面図、（ｂ）は側柵の２枚の板材が連結ピンによって連結された部分の断面図、（ｃ）は側柵の２枚の板材間の挿入溝に挿入された透明パネルが抜け止めねじよって止められた部分の断面図。
【図９】（ａ）は側柵の平面図、（ｂ）は同じく横断面図。
【図１０】（ａ）は側柵の挿入溝が開放した端面を示す図、（ｂ）は同じく縦断面図。
【図１１】板材に形成された挿入溝の拡大図。
【符号の説明】
【００６０】
５…載置フレーム（ベッド本体）、１１…ヘッドボード（ボード体）、１２…フットボード（ボード体）、１５…受け溝、２５，２５Ａ…側柵、３１…第１の閉塞部材、３３，３８…第１の取付け部、３４，３９…第２の取付け部、３７…第２の閉塞部材、４１…第１の凹部、４２…第１の突出部、４３…第１の受け溝、５４…第２の凹部、５５…第２の突出部、５６…第２の受け溝。
【図１】
0005604564.tif 000002
【図２】
0005604564.tif 000003
【図３】
0005604564.tif 000004
【図４】
0005604564.tif 000005
【図５】
0005604564.tif 000006
【図６】
0005604564.tif 000007
【図７】
0005604564.tif 000008
【図８】
0005604564.tif 000009
【図９】
0005604564.tif 000010
【図１０】
0005604564.tif 000011
【図１１】
0005604564.tif 000012